(57)【特許請求の範囲】
【請求項１】
紙束等を結束するためのクリップを送り出すクリップ機であり、
前記クリップは、四隅の長辺側に小突起を形成した細長い金属片の中央部が、前記金属片の短辺側の端縁部同士及び前記小突起同士が重なりあい、且つ、前記短辺側の端縁部同士及び前記小突起同士が互いに押し合うように、折り曲げられてなり、
前記クリップを収納する筒状のケースは、片側の端部の左右側壁部に、前記紙束を挿入する紙束挿入口が形成され、前記ケースの左右側壁部の内壁に、前記ケースの長手方向に延びて前記クリップの小突起を案内する案内溝がそれぞれ形成され、前記案内溝の前記紙束挿入口側の端部は、前記紙束挿入口の上下に広がる拡大部とされ、
前記拡大部に、前記クリップの上下一対の小突起間に挿入されて前記クリップの短辺部側の端縁部同士を押し開く板バネが配置され、
この板バネは、前記クリップの一対の小突起間に挿入されるように、一対の細長い弾性片を二枚に重ね合わせて前記拡大開始部側に配置される扁平部分と、前記紙束挿入口側に配置されて前記紙束を挟むように、前記拡大開始部から前記拡大部に沿って広がる可撓片部とからなるクリップ機において、
前記板バネは、並列に配置される一対の細長い弾性片の一端部同士が、当該弾性片の長手方向に延びる連結部により連結され、前記一対の弾性片同士が重なり合うように、前記連結部に沿って折り畳んで形成され、
前記連結部側が前記拡大開始部に固定される前記扁平部分とされ、前記連結部から前記拡大部に沿って広がる部分が前記可撓片部とされていることを特徴とするクリップ機。
【発明の詳細な説明】
【０００１】
【発明の属する技術分野】
本発明は、二つ折り状態に折曲されたクリップを押し出しつつ紙束等を結束するクリップ機に関し、更に詳しくは、当該クリップ機において、前記クリップの折り畳んだ両端部同士を広げる板バネの損傷を防止して耐久性を高めたクリップ機に関する。
【０００２】
【従来の技術】
手動式のクリップ機に関しては、特開平９−９９６８２号公報と実用新案登録第２５３０１５７号公報がある。
【０００３】
特開平９−９９６８２号公報は、「クリップ挟み止め装置に装着するクリップ拡開用板バネ」に関するものである。
【０００４】
図９は、特開平９−９９６８２号の「クリップ挟み止め装置」を示したものであり、クリップ挟み止め装置１のケース２内部に、図１０に示すクリップ３を収納可能とされている。ケース２の一端にはクリップ挿入口４が形成され、ケース２の他端には紙束挿入口５が形成されている。ケース２の上部にはスライダ６が配置され、スライダ６をクリップ挿入口４側から紙束挿入口５側に向かってスライドすると、クリップ３がクリップ挿入口４から紙束挿入口５側に移動するようになっている。
【０００５】
ケース２内面の左右側壁部には、クリップ３の耳部７をガイドする案内溝がそれぞれ形成され、案内溝の紙束挿入口５側の端部に、横向きの略Ｙ字形状のクリップ拡開用の板バネ８が設けられている。
【０００６】
クリップ３は案内溝の内部をスライドして板バネ８の折り曲げ部９に到達すると、耳部７，７の間に折り曲げ部９近傍の切欠１０の縁部が進入する。クリップ３が紙束挿入口５側に移動すると、クリップ３が紙束を挟んだ板バネ８により拡開され、拡開されたクリップ３の耳部７が板バネ８の端部を通り過ぎると、クリップ３は紙束を結束される。
【０００７】
板バネ８は、図１０に示すように、細長い金属板を中央部で幅方向に延びる折り曲げ線を中心にして折り曲げてから、その両側部位をそれぞれ上下斜め方向へ傾斜させて、側面を略Ｙ字形若しくは略Ｖ字形とした形状とされ、折り曲げ部９は円筒形状に曲げられている。
【０００８】
図１１は、実用新案登録第２５３０１５７号の拡開バネを示しており、この拡開バネ１１は、細長い金属板１１の中央部を横切るように折り曲げ部１２を設けるが、折り曲げ部１２の一部１３が平らに折り畳んだ頂点部分１４よりも曲率半径が大とされている。
【０００９】
【発明が解決しようとする課題】
しかしながら、特開平９−９９６８２号では、板バネ８の円筒状の折り曲げ部９が板バネ８の弾性力を確保するので、板バネ８の幅を小さくすると、弾性力が失われると共に疲労蓄積により損傷しやすい。また、クリップ３の耳部７、７は切欠１０側を通過するが、切欠１０の幅が小さいと、板バネ８を弾性変形する力が不十分となって、縁部のみを変形させやすくなると共に、耳部７、７が円筒状の折り曲げ部９に突き当たってクリップ３を押し出し不能になるおそれがある。
【００１０】
このため、切欠１０の幅を充分とって耳部７、７が通過する際に余裕を持たせことと、折り曲げ部９も充分な幅をとる必要があるために、板バネ８が大型化する問題がある。
【００１１】
また、図１１の実用新案登録第２５３０１７号では、折り曲げ部１２は、曲率半径の大きな部分１３と、ほぼ平らに折り畳んだ頂点部分１４とを有するが、拡開バネ１１が弾性変形すると、平らに折り畳んだ頂点部分１４に拡開バネの変形時の応力が集中するので、頂点部分１４の疲労損傷を充分に防止できない。
【００１２】
更に、折り曲げ部１２のような狭い範囲において、曲率半径の大きな部分１３と平らな頂点部分１４とを併存させるようにプレスすると、頂点部分１４に過度の変形力が働いて折れ易くなるため、プレス加工が難しくコスト高になるという問題がある。
【００１３】
本発明は、このような問題に着目してなされたものであり、紙束等をクリップにより結束する際に、クリップを拡開する板バネの折り曲げ部分の幅を小さく形成出来るようにすると共に、折り曲げ部分が弾性変形の疲労蓄積により損傷しにくく耐久性があり、板バネの加工も容易でコスト高とならず、小型化に有利なクリップ機を提供することを目的とする。
【００１４】
【課題を解決するための手段】
上記課題を解決するために、本発明の請求項１のクリップ機は、
紙束等を結束するためのクリップを送り出すクリップ機であり、
前記クリップは、四隅の長辺側に小突起を形成した細長い金属片の中央部が、前記金属片の短辺側の端縁部同士及び前記小突起同士が重なりあい、且つ、前記短辺側の端縁部同士及び前記小突起同士が互いに押し合うように、折り曲げられてなり、
前記クリップを収納する筒状のケースは、片側の端部の左右側壁部に、前記紙束を挿入する紙束挿入口が形成され、前記ケースの左右側壁部の内壁に、前記ケースの長手方向に延びて前記クリップの小突起を案内する案内溝がそれぞれ形成され、前記案内溝の前記紙束挿入口側の端部は、前記紙束挿入口の上下に広がる拡大部とされ、
前記拡大部に、前記クリップの上下一対の小突起間に挿入されて前記クリップの短辺部側の端縁部同士を押し開く板バネが配置され、
この板バネは、前記クリップの一対の小突起間に挿入されるように、一対の細長い弾性片を二枚に重ね合わせて前記拡大開始部側に配置される扁平部分と、前記紙束挿入口側に配置されて前記紙束を挟むように、前記拡大開始部から前記拡大部に沿って広がる可撓片部とからなるクリップ機において、
前記板バネは、並列に配置される一対の細長い弾性片の一端部同士が、当該弾性片の長手方向に延びる連結部により連結され、前記一対の弾性片同士が重なり合うように、前記連結部に沿って折り畳んで形成され、
前記連結部側が前記拡大開始部に固定される前記扁平部分とされ、前記連結部から前記拡大部に沿って広がる部分が前記可撓片部とされていることを特徴とする。
【００１５】
【発明の実施の形態】
以下、本発明の実施の形態にかかるクリップ機を図面に基づいて説明する。
【００１６】
図１は本発明の実施の形態にかかるクリップ機における板バネとクリップの配置状態を概念的に示し、図２は図１の板バネの折り曲げ前の展開形状を示している。図３〜図７は図１のクリップ機の構成を模式的に示しており、図８はクリップ機に収納されるクリップの展開形状を示す。
【００１７】
クリップ２０は、図８に示すように、細長い矩形金属片２１の四隅の長辺側に係止用の小突起２２がそれぞれ形成され、矩形金属片２１の中央部を、上下の小突起２２、２２同士が重なりあい、且つ、短辺近傍の端縁部２３同士が互いに押し合うように、幅方向に延びる折り曲げ線２４を中心に折り畳まれる。端縁部２３において、一対の小突起２２の中央部には矩形金属片２１の幅方向に延びる折り曲げ稜線部２５が形成されており、折り曲げ稜線部２５が互いに押し合って紙束を把持するように接触する。この発明において、端縁部２３とは、短辺の他に一対の小突起２２と折り曲げ稜線部２５を含んで用いる。
【００１８】
図４に示すように、クリップ機２６は、クリップ２０が複数個が収納される筒状のケース２７を有しており、ケース２７の上面部２７Ａに開口部２８が形成されている。この開口部２８にはスライダ２９が装着されており、スライダ２９はケース２７内部に収納されたクリップ２０を紙束挿入口３０（図５参照）側に押し出す。
【００１９】
スライダ２９は、図５，図６に示すように、板状のベース３１の下部に、クリップ２０の後部を押し出す押出部３２が突設され、ベース３１の上部に指で押圧する入力部３３が形成されている。ベース３１の後部左右には水平翼部３４がそれぞれ形成され、水平翼部３４はケース２７の上面部２７Ａと左右側壁内面上部に形成された案内板部３５とに案内される。更に、押出部３２は略くさび形状に形成され、押出部３２の左右両側部下部に、水平翼部３６がそれぞれ形成されている。水平翼部３６は案内板部３５の下側に位置し、ベース３１の押出部３２側を持ち上げることが出来るようになっている。ベース３１の押出部３２を持ち上げると、スライダ２９はクリップ２０の三角形状の折り曲げ部分を乗り越えて後方に移動することができる。
【００２０】
ケース２７の上面部後部には、クリップ２０を収納するクリップ収納開口部３６が形成されており、クリップ収納開口部３６の後端縁部にはクリップ２０を案内するクリップ挿入案内板部３７が形成されている。
【００２１】
ケース２７の内部は筒状に形成され、クリップ２０を収納するようになっており、ケース２７の前端部に前述の紙束挿入口３０が水平に形成されている。ケース２７の左右内壁面のそれぞれには、案内溝３８が形成されている。案内溝３８は、案内溝３８にクリップ２０の左右上下の小突起２２を位置させて、クリップ２０を水平に移動するように案内する。
【００２２】
案内溝３８は、図５に示すように、クリップ収納開口部２７がケース２７の底部側に向かって幅が狭くなるように形成されている。また、案内溝３８の紙束挿入口３０近傍には、紙束挿入口３０に向かって徐々に幅広になる拡大部３９が形成されている。拡大部３９の拡大開始部４０の近傍では、案内溝３８がケース２７底部側から上昇している。この拡大開始部４０直前の上昇したテーパー部４１により、クリップ２０の先端の端縁部２３は持ち上げられて、拡大部３９の板バネ４２の先端部４３が上下の小突起２２、２２の間に位置する。
【００２３】
板バネ４２は、図１に示すように、金属製からなる一対の細長い矩形弾性片４３、４３を連結部４４にて連結してなるものである。すなわち、板バネ４２は、図２に示すように、一対の細長い矩形弾性片４３、４３の長辺側の片側端部を連結部４４にて連結した展開形状を有する。
【００２４】
板バネ４２は、一対の矩形弾性片４３、４３が互いに重なり合うように連結部４４にて折り畳んで扁平部分４５とし、更に、連結部４４の反対側の端部を、拡大部３９の案内面に沿うように広げて可撓片部４６としている。
【００２５】
板バネ４２の折り畳みにおいて、連結部４４の長手方向に沿った中心線４４Ａが折り曲げ中心となる。連結部４４の折り畳みにおいて、折り畳んだときの連結部４４の厚さは、２枚の矩形弾性片４３の厚さを加算した扁平部分４５より厚くなるように、形成され、矩形弾性片４３の厚さの例えば２．５〜５倍程度に設定されている。
【００２６】
板バネ４２は、連結部４４が案内溝３８の底部に埋設されることにより固定される。扁平部分４５には板バネ４２を固定するための係止孔４７が開口されている。変形部分４５は、案内溝３８に形成された２枚の弾性片４３の厚さ相当幅の装着溝（図示省略）を圧入固定され、係止孔に装着溝内のフック状突起（図示省略）が取り外し不能に係止される。なお、この板バネ４２を細幅の装着溝に挿入するとき、扁平部分４５の厚さが２枚の弾性片４３、４３より厚いことにより、板バネ４２が装着溝に圧入される。この板バネ４２の連結部４４の装着の時にプラスチックと金属とが接着可能な接着剤を用いても良い。なお、インサート成形により板バネ４２とケース２７とを一体成型しても良い。
【００２７】
板バネ４２は、折り畳まれて２枚重ねとなった弾性片４３、４３の端部が拡大開始部４０の中央部に突出しているので、クリップ２０がスライダ２９に押されて前進すると、扁平部分４４が一対の端部２３，２３に進入する。
【００２８】
また、板バネ４２の紙束挿入口３０側の端部の間に、紙束挿入口３０が位置しているので、紙束４８を挿入した状態で、クリップ２０が拡大開始部４０から更に紙束挿入口３０側にスライドすると、クリップ２０の可撓片部４６、４６の弾性力により板バネ４２が紙束４８を挟んだ状態で撓む。
【００２９】
更に、小突起２２が板バネ４２の可撓片部４６、４６の端部を通過すると、板バネ４２の可撓片部４６、４６が拡大部３９の案内面３９Ａに沿って原型復帰し、クリップ２０の端縁部２３が紙束４８を挟む。
【００３０】
この実施の形態のクリップ機２６によれば、板バネ４２が、並列に配置される一対の細長い矩形弾性片４３の一端部同士を、矩形弾性片４３の長手方向に延びる連結部４４により連結される展開形状を有し、一対の矩形弾性片４３、４３同士が重なり合うように、連結部４４に沿って折り畳んで形成され、この板バネ４２の一対の矩形弾性片４３は、案内溝３８の拡大開始部４０側から紙束挿入口３０に広がるように、連結部４４から矩形弾性片４６の他端部側に向かって拡大されているので、一対の板バネ４２を左右の案内溝３８の拡大部３９に配置固定する場合、連結部４４を互いに向かい合わせた状態で配置すれば、紙束挿入口３０側に送り出されたクリップ２０の小突起２２は、一対の板バネ４２の連結部４４を通過して紙束４８を結束する。
【００３１】
また、一対の板バネ４２を、その連結部４４が一対の案内溝３８の外側に位置するように、配置すると、紙束挿入口３０側に送り出されるクリップ２０の小突起２２は、連結部４４の反対側に位置する自由端部側を通過する。
【００３２】
クリップ２０の上下一対の小突起２２、２２が板バネ４２を介在させて紙束３８を挟みつつ通過する際に、板バネ４２の連結部４４は、変形時の応力が発生するが、連結部４４が板バネ４２の長手方向に延びているので、板バネ４２の幅を増大することなく応力を受ける領域を大きく設定でき、変形の疲労蓄積に対して耐久性が向上し、疲労損傷を充分に防止できる。
【００３３】
また、板バネ４２の肉厚は、ほぼ板バネ４２の全幅に亘って略板バネ２枚の厚さであるので、一対の小突起２２、２２が板バネ４２を挟み込む際に、一対の小突起２２、２２の幅方向の通過領域を広くとれる。
【００３４】
従って、クリップ２０の左右方向の位置精度が緩和され、クリップ２０のスライド抵抗が少なくなり、軽い力でクリップ２０を紙束挿入口３０に送り出すことが出来る。
【００３５】
なぜなら、クリップ２０の左右上下にある小突起２２、２２が板バネ４２を正確に挟み込むには、クリップ２０の小突起２２、２２の通過域と板バネ４２の通過域とを高精度に合わせる必要があるが、これを高精度にすると、クリップ２０の小突起が案内溝３８の底部を摺接するときの引っ掛かりが大きくなる。
【００３６】
しかし、この実施の形態では、クリップ２０の左右方向の位置精度が緩和されるので、クリップ２０の引っ掛かりが少なくなり、板バネ４２の加工が容易である。
【００３７】
板バネ４２の連結部４４は、２枚の矩形弾性片３５同士を重ねた扁平部分４５の厚さより大きな厚みをもつように折り曲げられているので、板バネ４２の変形時の応力が特定の狭い領域に集中せず、板バネ４２の疲労蓄積による損傷が起こりにくくなって耐久性が向上する。
【００３８】
板バネ４２の連結部４４が、案内溝３８の底部側に固定されているので、上下の小突起２２、２２が板バネを挟み込むときに、板バネ４２を挟みやすく、しかも、小突起２２、２２同士が板バネ４２を挟み込む力が連結部４４に直接入力されないので、連結部４４に大きな変形力が働かず、板バネ４２の耐久性も向上する。
【００３９】
なお、上記実施例では、手動操作型のクリップ機２６によって説明したが、このようなクリップ機２６を、例えば、複写機のソーター、ファクシミリのトレイ、プリンターのトレイに設け、所定枚数のコピー完了、或いは、ファックスの受信の度毎に、或いは、プリンターによる所定枚数の印字完了毎に、クリップ２０で綴じるようにしても良い。その場合、クリップ機２６のスライダ２３をモーターやエアシリンダなどのアクチュエータで駆動するように、コピー完了、受信完了、印字完了の信号に基づいて、アクチュエータを駆動し、紙束３８をクリップ２０で綴じる。
【００４０】
【発明の効果】
本発明の請求項１のクリップ機のクリップ機によれば、クリップの上下一対の小突起が板バネを介在させて紙束を挟みつつ通過する際に、板バネの連結部には、変形時の応力が発生するが、連結部が板バネの長手方向に延びているので、板バネの幅を増大することなく応力を受ける領域を大きく設定でき、変形の疲労蓄積に対して耐久性が向上し、疲労損傷を充分に防止できる。
【００４１】
また、板バネの肉厚は、板バネ自身のほぼ全幅に亘って弾性片２枚の厚さであるので、一対の小突起が板バネを挟み込む際に、一対の小突起が板バネを挟みつける領域を広くとれるので、クリップの左右方向の位置精度が緩和され、クリップの引っ掛かり抵抗が少なくなり、軽い力でクリップを送り出すことが出来る。
【００４２】
更に、板バネは、並列に配置される一対の細長い弾性片の一端部同士を、当該弾性片の長手方向に延びる連結部により連結し、一対の弾性片同士が重なり合うように、一対の弾性片を連結部に沿って折り畳んで形成されるので、板バネの加工が容易である。
【図面の簡単な説明】
【図１】本発明の実施の形態にかかるクリップ機の板バネの配置状態を示す概念図
【図２】図１の板バネの折り曲げ前の展開形状を示す展開図
【図３】図１の板バネを備えたクリップ機の平面的断面構成を示す図
【図４】図１のクリップ機の平面図
【図５】図１の板バネを備えたクリップ機の長手方向に沿った縦断面図
【図６】クリップ機のスライダの平面図
【図７】クリップ機のスライダを前側から見た状態の図
【図８】クリップの展開形状を示す展開図
【図９】従来からのクリップ機の外形を示す斜視図
【図１０】図９のクリップ機内に設けられる板バネとクリップの位置関係を示す図
【図１１】他の従来例の板バネの図
【符号の説明】
２０  クリップ
２２  小突起
２３  端縁部
２９  スライダ
３０  紙束挿入口
３８  案内溝
３９  拡大部
４２  板バネ
４４  連結部
４５  扁平部分
４６  可撓片部
【図１】
0003646564.tif 000002
【図２】
0003646564.tif 000003
【図３】
0003646564.tif 000004
【図４】
0003646564.tif 000005
【図５】
0003646564.tif 000006
【図６】
0003646564.tif 000007
【図７】
0003646564.tif 000008
【図８】
0003646564.tif 000009
【図９】
0003646564.tif 000010
【図１０】
0003646564.tif 000011
【図１１】
0003646564.tif 000012